【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
サービング基地局から、前記サービング基地局と通信状態にあるモバイルデバイスに信号を送信することと、ここにおいて、前記信号が、ある時間期間中に物理ランダムアクセスチャネル（ＰＲＡＣＨ）上での周期的送信を送信するように前記モバイルデバイスをトリガし、前記モバイルデバイスが、前記サービング基地局と通信状態のままであり、前記時間期間中に前記サービング基地局から受信されたデータを復号し続ける、
前記サービング基地局が、前記時間期間中に復号するために前記モバイルデバイスにダウンリンクデータを送信することと、
前記サービング基地局が、前記時間期間中に前記モバイルデバイスからアップリンクデータを受信することと
を備え、ここにおいて、前記信号は、
前記ＰＲＡＣＨ上での前記周期的送信のためのシグネチャシーケンスセット、
開ループ送信電力制御のための送信電力デルタ、
前記ＰＲＡＣＨ上での前記周期的送信のための固定送信電力、および
プロキシミティ検出フラグ
のうちの１つまたは複数を含む、ワイヤレス通信の方法。
【請求項２】
前記サービング基地局から、前記モバイルデバイスに非アクティブ化信号を送信すること、ここにおいて、前記非アクティブ化信号が、前記時間期間中に前記ＰＲＡＣＨ上での前記周期的送信を停止する、
をさらに備える、請求項１に記載の方法。
【請求項３】
前記信号が、
前記ＰＲＡＣＨ上での前記周期的送信の持続時間、
前記ＰＲＡＣＨ上での前記周期的送信の間隔、および
前記ＰＲＡＣＨ上での前記周期的送信の周期性
のうちの１つまたは複数を含む、請求項１に記載の方法。
【請求項４】
前記信号に含まれる前記１つまたは複数は、
復号継続信号、ここにおいて、前記復号継続信号が、前記ＰＲＡＣＨ上での前記周期的送信中に前記サービング基地局から受信された前記データの前記復号を続けることを前記モバイルデバイスにシグナリングする、および
前記信号に含まれる前記１つまたは複数の組み合わせ
のうちの１つまたは複数をさらに含み、ここにおいて、前記プロキシミティ検出フラグが、標準送信電力および前記固定送信電力のうちの１つを使用することを前記モバイルデバイスに示す、請求項１に記載の方法。
【請求項５】
前記固定送信電力が、
前記モバイルデバイスの最大送信電力よりも小さい所定の送信電力、および
前記モバイルデバイスの前記最大送信電力
のうちの１つを含む、請求項４に記載の方法。
【請求項６】
前記所定の送信電力がワイヤレス通信ネットワークによってシグナリングされる、請求項５に記載の方法。
【請求項７】
前記サービング基地局において、前記ＰＲＡＣＨ上での前記周期的送信中の前記モバイルデバイスからＰＲＡＣＨ送信を受信することと、
前記サービング基地局が、前記モバイルデバイスへのＰＲＡＣＨ肯定応答メッセージの送信を遅延させることと
をさらに備える、請求項１に記載の方法。
【請求項８】
前記モバイルデバイスに関連する前記受信されたＰＲＡＣＨ中でプリアンブルを検出すること
をさらに備え、ここにおいて、前記遅延させることが、所定の時間の間前記ＰＲＡＣＨ肯定応答の送信を遅延させること
を含む、請求項７に記載の方法。
【請求項９】
ワイヤレス通信のために構成された装置であって、
少なくとも１つのプロセッサと、
前記少なくとも１つのプロセッサに結合されたメモリと
を備え、ここにおいて、前記少なくとも１つのプロセッサは、
サービング基地局から、前記サービング基地局と通信状態にあるモバイルデバイスに信号を送信することと、ここにおいて、前記信号が、ある時間期間中に物理ランダムアクセスチャネル（ＰＲＡＣＨ）上での周期的送信を送信するように前記モバイルデバイスをトリガし、前記モバイルデバイスが、前記サービング基地局と通信状態のままであり、前記時間期間中に前記サービング基地局から受信されたデータを復号し続ける、
前記サービング基地局が、前記時間期間中に復号するために前記モバイルデバイスにダウンリンクデータを送信することと、
前記サービング基地局が、前記時間期間中に前記モバイルデバイスからアップリンクデータを受信することと
を行うように構成され、ここにおいて、前記信号は、
前記ＰＲＡＣＨ上での前記周期的送信のためのシグネチャシーケンスセット、
開ループ送信電力制御のための送信電力デルタ、
前記ＰＲＡＣＨ上での前記周期的送信のための固定送信電力、および
プロキシミティ検出フラグ
のうちの１つまたは複数を含む、装置。
【請求項１０】
前記サービング基地局から、前記モバイルデバイスに非アクティブ化信号を送信すること、ここにおいて、前記非アクティブ化信号が、前記時間期間中に前記ＰＲＡＣＨ上での前記周期的送信を停止する、を行うための前記少なくとも１つのプロセッサの構成をさらに備える、請求項９に記載の装置。
【請求項１１】
前記信号が、
前記ＰＲＡＣＨ上での前記周期的送信の持続時間、
前記ＰＲＡＣＨ上での前記周期的送信の間隔、および
前記ＰＲＡＣＨ上での前記周期的送信の周期性
のうちの１つまたは複数を含む、請求項９に記載の装置。
【請求項１２】
前記信号に含まれる前記１つまたは複数は、
復号継続信号、ここにおいて、前記復号継続信号が、前記ＰＲＡＣＨ上での前記周期的送信中に前記サービング基地局から受信された前記データの前記復号を続けることを前記モバイルデバイスにシグナリングする、および
前記信号に含まれる前記１つまたは複数の組み合わせ
のうちの１つまたは複数をさらに含み、ここにおいて、前記プロキシミティ検出フラグが、標準送信電力および前記固定送信電力のうちの１つを使用することを前記モバイルデバイスに示す、請求項９に記載の装置。
【請求項１３】
前記サービング基地局において、前記ＰＲＡＣＨ上での前記周期的送信中の前記モバイルデバイスからＰＲＡＣＨ送信を受信することと、
前記サービング基地局が、前記モバイルデバイスへのＰＲＡＣＨ肯定応答メッセージの送信を遅延させることと
を行うための前記少なくとも１つのプロセッサの構成をさらに備える、請求項９に記載の装置。
【請求項１４】
プログラムコードを記憶した非一時的コンピュータ可読媒体であって、前記プログラムコードは、コンピュータに、
サービング基地局から、前記サービング基地局と通信状態にあるモバイルデバイスに信号を送信することと、ここにおいて、前記信号が、ある時間期間中に物理ランダムアクセスチャネル（ＰＲＡＣＨ）上での周期的送信を送信するように前記モバイルデバイスをトリガし、前記モバイルデバイスが、前記サービング基地局と通信状態のままであり、前記時間期間中に前記サービング基地局から受信されたデータを復号し続ける、
前記サービング基地局が、前記時間期間中に復号するために前記モバイルデバイスにダウンリンクデータを送信することと、
前記サービング基地局が、前記時間期間中に前記モバイルデバイスからアップリンクデータを受信することと
を行わせるためのプログラムコードを備え、ここにおいて、前記信号は、
前記ＰＲＡＣＨ上での前記周期的送信のためのシグネチャシーケンスセット、
開ループ送信電力制御のための送信電力デルタ、
前記ＰＲＡＣＨ上での前記周期的送信のための固定送信電力、および
プロキシミティ検出フラグ
のうちの１つまたは複数を含む、非一時的コンピュータ可読媒体。
【請求項１５】
前記サービング基地局から、前記モバイルデバイスに非アクティブ化信号を送信すること、ここにおいて、前記非アクティブ化信号が、前記時間期間中に前記ＰＲＡＣＨ上での前記周期的送信を停止する、を前記コンピュータに行わせるためのプログラムコード
をさらに備える、請求項１４に記載の非一時的コンピュータ可読媒体。
【請求項１６】
前記信号が、
前記ＰＲＡＣＨ上での前記周期的送信の持続時間、
前記ＰＲＡＣＨ上での前記周期的送信の間隔、および
前記ＰＲＡＣＨ上での前記周期的送信の周期性
のうちの１つまたは複数を含む、請求項１４に記載の非一時的コンピュータ可読媒体。
【請求項１７】
前記信号に含まれる前記１つまたは複数は、
復号継続信号、ここにおいて、前記復号継続信号が、前記ＰＲＡＣＨ上での前記周期的送信中に前記サービング基地局から受信された前記データの前記復号を続けることを前記モバイルデバイスにシグナリングする、および
前記信号に含まれる前記１つまたは複数の組み合わせ
のうちの１つまたは複数をさらに含み、ここにおいて、前記プロキシミティ検出フラグが、標準送信電力および前記固定送信電力のうちの１つを使用することを前記モバイルデバイスに示す、請求項１４に記載の非一時的コンピュータ可読媒体。
【請求項１８】
前記固定送信電力が、
前記モバイルデバイスの最大送信電力よりも小さい所定の送信電力、および
前記モバイルデバイスの前記最大送信電力
のうちの１つを含む、請求項１７に記載の非一時的コンピュータ可読媒体。
【請求項１９】
前記所定の送信電力がワイヤレス通信ネットワークによってシグナリングされる、請求項１８に記載の非一時的コンピュータ可読媒体。
【請求項２０】
前記サービング基地局において、前記ＰＲＡＣＨ上での前記周期的送信中の前記モバイルデバイスからＰＲＡＣＨ送信を受信することを前記コンピュータに行わせるためのプログラムコードと、
前記サービング基地局が、前記モバイルデバイスへのＰＲＡＣＨ肯定応答メッセージの送信を遅延させることを前記コンピュータに行わせるためのプログラムコードと
をさらに備える、請求項１４に記載の非一時的コンピュータ可読媒体。
【請求項２１】
前記モバイルデバイスに関連する前記受信されたＰＲＡＣＨ中でプリアンブルを検出することを前記コンピュータに行わせるためのプログラムコード
をさらに備え、ここにおいて、遅延させることを前記コンピュータに行わせるための前記プログラムコードが、所定の時間の間前記ＰＲＡＣＨ肯定応答の送信を遅延させることを前記コンピュータに行わせるためのプログラムコード
を含む、請求項２０に記載の非一時的コンピュータ可読媒体。
【請求項２２】
ワイヤレス通信のために構成された装置であって、
サービング基地局から、前記サービング基地局と通信状態にあるモバイルデバイスに信号を送信するための手段と、ここにおいて、前記信号が、ある時間期間中に物理ランダムアクセスチャネル（ＰＲＡＣＨ）上での周期的送信を送信するように前記モバイルデバイスをトリガし、前記モバイルデバイスが、前記サービング基地局と通信状態のままであり、前記時間期間中に前記サービング基地局から受信されたデータを復号し続ける、
前記サービング基地局が、前記時間期間中に復号するために前記モバイルデバイスにダウンリンクデータを送信するための手段と、
前記サービング基地局が、前記時間期間中に前記モバイルデバイスからアップリンクデータを受信するための手段と、
前記サービング基地局から、前記モバイルデバイスに非アクティブ化信号を送信するための手段と、
を備え、ここにおいて、前記非アクティブ化信号が、前記時間期間中に前記ＰＲＡＣＨ上での前記周期的送信を停止し、前記信号が、
前記ＰＲＡＣＨ上での前記周期的送信のためのシグネチャシーケンスセット、
開ループ送信電力制御のための送信電力デルタ、
前記ＰＲＡＣＨ上での前記周期的送信のための固定送信電力、および
プロキシミティ検出フラグ
のうちの１つまたは複数を含む、装置。
【請求項２３】
前記信号が、
前記ＰＲＡＣＨ上での前記周期的送信の持続時間、
前記ＰＲＡＣＨ上での前記周期的送信の間隔、
前記ＰＲＡＣＨ上での前記周期的送信の周期性、
復号継続信号、ここにおいて、前記復号継続信号が、前記ＰＲＡＣＨ上での前記周期的送信中に前記サービング基地局から受信されたデータを復号し続けることを前記モバイルデバイスにシグナリングする、および
それらの組み合わせ
のうちの１つまたは複数をさらに含み、ここにおいて、前記プロキシミティ検出フラグが、標準送信電力および前記固定送信電力のうちの１つを使用することを前記モバイルデバイスに示す、請求項２２に記載の装置。
【請求項２４】
前記固定送信電力が、
前記モバイルデバイスの最大送信電力よりも小さい所定の送信電力、および
前記モバイルデバイスの前記最大送信電力
のうちの１つを含む、請求項２３に記載の装置。
【請求項２５】
前記所定の送信電力がワイヤレス通信ネットワークによってシグナリングされる、請求項２４に記載の装置。
【請求項２６】
前記サービング基地局において、前記ＰＲＡＣＨ上での前記周期的送信中の前記モバイルデバイスからＰＲＡＣＨ送信を受信するための手段と、
前記サービング基地局が、前記モバイルデバイスへのＰＲＡＣＨ肯定応答メッセージの送信を遅延させるための手段と
をさらに備える、請求項２２に記載の装置。
【請求項２７】
前記モバイルデバイスに関連する前記受信されたＰＲＡＣＨ中でプリアンブルを検出するための手段
をさらに備え、ここにおいて、前記遅延させるための手段が、所定の時間の間前記ＰＲＡＣＨ肯定応答の送信を遅延させるための手段
を含む、請求項２６に記載の装置。